(57)【要約】【課題】  従来のハンドルロック装置は複数の部材を使用したり、筐体を加工して金具を固定したりする必要があったり、また、単一の部材で構成したものにあっては、ハンドルの自動的な動作に対して、十分な保持力を確保することが難しく、脱落するなどの問題もあった。【解決手段】  ハンドルロック装置を弾性材料で構成し、その保持部分の形状を逆Ｕ字形状とする。また、逆Ｕ字形状の内側寸法を、ハンドルロック装置の施錠手段の施錠部分寸法とほぼ同じ寸法に構成する。さらに、開閉器筐体の開口部の内側に設けたハンドルロック装置を保持するための形状と、これに係合するためにハンドルロック装置に設けた形状を、ハンドルロック装置の取り外しに対して抗う方向に傾斜をつけて構成する。【選択図】図１
2012109273.tif 000002
【特許請求の範囲】
【請求項１】
電路を開閉する接点部とそれを開閉するための開閉機構部を筐体内に収納し、筐体の開口部から開閉機構部に連結されたハンドルを操作することにより接点部を開閉する構造の開閉器であって、前記ハンドルを所定の位置に固定、又は施錠して取り外しをできなくし操作を禁止する開閉器のハンドルロック装置において、
該ハンドルロック装置を弾性材料で構成し、その形状を逆Ｕ字形状とし、該逆Ｕ字形状を撓ませすぼませて、前記開閉器筐体のハンドル開口部の内側に設けた前記ハンドルロック装置を保持するための係合部に係合し、ハンドルロック装置を容易に着脱することができることを特徴とする開閉器のハンドルロック装置。
【請求項２】
前記請求項1記載の開閉器のハンドルロック装置において、
前記ハンドルロック装置の逆Ｕ字形状の内側寸法と、ハンドルロック装置の施錠手段の施錠部分寸法とほぼ同じ寸法に構成することを特徴とする開閉器のハンドルロック装置。
【請求項３】
前記請求項1記載の開閉器のハンドルロック装置において、
前記開閉器筐体の開口部の内側に設けたハンドルロック装置を保持するための形状と、これに係合するためにハンドルロック装置に設けた形状を、ハンドルロック装置の取り外しに対して抗う方向に傾斜をつけて構成することを特徴とする開閉器のハンドルロック装置。
【請求項４】
前記請求項1記載の開閉器のハンドルロック装置において、
前記ハンドルロック装置のハンドルキャップとハンドルロック装置の保持部の間に空間部を有したことを特徴とする開閉器のハンドルロック装置。
【発明の詳細な説明】
【技術分野】
【０００１】
本発明は、電路を開閉する開閉器のハンドルを所定の位置に固定、または施錠することにより操作を禁止するために用いるハンドルロック装置に関するものである。
【背景技術】
【０００２】
電路を開閉する開閉器のハンドルを所定の位置に固定、もしくは施錠することにより操作を禁止するためのハンドルロック装置は、これまでさまざまな構造が考案され、実用に供されている。従来のハンドルロック装置は、例えば特許文献１（特開２００６−１４７１７４号公報）の中に示されているように、ハンドルに開いた穴にハンドルロック装置と組み合わせる別部材を挿入することで、ハンドルの操作を阻止する構造がある。また、錠を掛けるための金具を筐体に固定し、この穴に錠を掛けることでハンドルの操作を阻止する構造がある。さらに、これらを単一の部材で構成し、ハンドルに開いた穴に一部を係合させたり、ハンドルそのものにしまり嵌めの要領で取り付けたりする構造も存在する。
【０００３】
【特許文献１】特開２００６−１４７１７４号公報
【発明の開示】
【発明が解決しようとする課題】
【０００４】
従来のハンドルロック装置は複数の部材を使用したり、筐体を加工して金具を固定したりする必要があった。また、単一の部材で構成したものにあっては、ハンドルの自動的な動作に対して、十分な保持力を確保することが難しく、脱落するなどの問題もあった。
【０００５】
本発明は、上記の課題を解決するためになされたもので、簡単な構造の単一部品で構成され、かつ、開閉器筐体のハンドル用開口部に容易に着脱可能で、確実にハンドルをロックするハンドルロック装置を提供することを目的とする。
【課題を解決するための手段】
【０００６】
かかる問題を解決するため、本発明のハンドルロック装置の全部または一部を弾性材料で構成し、またその保持部分の形状を逆Ｕ字形状とする。これを撓ませてすぼませることにより、筐体の開口部の内側に設けたハンドルロック装置を保持するための係合部に対して、着脱できるよう構成する。
【０００７】
また、逆Ｕ字形状の内側寸法を、ハンドルロック装置の施錠手段の施錠部分寸法とほぼ同じ寸法に構成することにより、ハンドルロック装置を開閉器に装着し、施錠手段を逆Ｕ字形状の挿入部を貫通させることで、逆Ｕ字形状の部分を撓ませることができなくなり、ハンドルロック装置を開閉器から取り外すことができなくなる。
さらに、開閉器筐体の開口部の内側に設けたハンドルロック装置を保持するための形状と、これに係合するためにハンドルロック装置に設けた形状を、ハンドルロック装置の取り外しに対して抗う方向に傾斜をつけて構成することにより、ハンドルの自動的な動きに対しても、ハンドルロック装置が脱落しないようにする。
【発明の効果】
【０００８】
本発明は、以上述べたとおり、安価な単一の部材でハンドルロック装置を構成でき、またハンドルの自動的な動きに対しても十分な保持力を得ることができ、使い勝手に優れたハンドルロック装置を提供することができる。
【発明を実施するための最良の形態】
【０００９】
本発明を図を用いて説明する。図１は本発明のハンドルロック装置の外観図を示し、図２はその外観図を上から見た上面図で、図３は外観図を下から見た底面図を表す。図４はハンドルロック装置を開閉器筐体に装着する場合と施錠した状態、及び着脱する状態を示す部分断面図を示し、図５はハンドルロック装置を開閉器筐体の開口部に係合する構成を示す図である。図６はハンドルロック装置をＯＮ状態で取り付け、施錠した場合の外観図で、図７はハンドルロック装置をＯＦＦ状態で取り付け、施錠した場合の外観図を示す。
【実施例１】
【００１０】
図1にハンドルロック装置１の外観図を示す。図1において、１１はハンドルキャップで、開閉器のハンドルを覆って操作を禁止するもので、１２はその一部が開閉器筐体のハンドル用開口部に挿入され、ハンドルロック装置を保持する保持部である。１３は、錠、例えば南京錠のシャックルを挿入する挿入部で、１４はシャックル挿入保持部分である。
【００１１】
また、ハンドルロック装置1は、開閉器の筐体に着脱可能であって、その材質は、ＰＯＭ（ポリアセタール）、ＰＢＴ（ポリブチレンテレフタレート）、ＰＥＴ（ポリエチレンテレフタレート）などの熱可塑性樹脂を用いて一体成形され、製造される。従って、ハンドルロック装置１の保持部１２は、保持部１２の上部を支点として、保持部が両側に開放された、いわゆる逆Ｕ字形構造となっているため両側の保持部１２を人の指でつまむと撓み、先端を狭くすることができる。そして、本発明のハンドルロック装置１は、より一層保持部を撓ませるため保持部上部の中央の内側に、長手方向に切り欠き溝１５を設けている。また、保持部１２の面積は、人の指でつまんで落ちない程度の略１０ｍｍ角くらいにしている。このように略１０ｍｍ角くらい以上にすると、人の指の腹の部分で確実につまむことができ、着脱がし易い。
【００１２】
また、図２に示すようにハンドルロック装置１のハンドルキャップ１１と保持部１２の上面部２１の間には、空間部２２を設け、開閉器のハンドルに表示したＯＮ−ＯＦＦ表示が見られるようにしている。このように空間部２２を設けることにより、開閉器のＯＮ−ＯＦＦ表示を見ることができるとともに、この箇所すなわちハンドルキャップと保持部上面部２１の間の上面部に空間部２２を有することにより、保持部１２に可撓性を持たせる効果もある。
【００１３】
図３は、ハンドルロック装置１を下側から見た図を示す。図３において、錠のシャックル３１を挿入するシャックル挿入部１３の挿入保持部分１４は、保持部１２の内側に突き出したＬ字型形状として、挿入方向のコーナ部を切り落とし、錠のシャックル３１が挿入し易い構造にしている。また、Ｌ字型形状にすることにより錠のシャックル３１との接触する面を稼ぎ、施錠されている際、保持部１２の両端を指で押しても変形しないように強度を持たせることができる。
【００１４】
また、南京錠などのシャックルの挿入保持部分１４は、保持部１２の内側の中央部に設けて強度を持たせているが、場所は保持部１２の内側であればどこでも良い。
【００１５】
図４にハンドルロック装置１を開閉器に装着した部分断面図を示す。図４は、ハンドルロック装置１が、開閉器４１の筐体のハンドル用開口部に装着され、施錠されている状態を表している。図４で、実線で示す状態が装着した状態４２で、破線が着脱するために撓ませた状態４３を示す。
【００１６】
実線のハンドルロック装置を装着した状態４２で、ロック装置１の保持部１２の下部に設けた引掛け部４４は、保持部１２から外側に突出させる突起部を有し、開閉器４１のハンドル用開口部に引っ掛かり、係合するように構成する。図５に保持部１２の先端の引掛け部４４の部分拡大図を示す。
【００１７】
図５は、ハンドルロック装置の引掛け部４４が開閉器筐体の開口部に係合した状態を示している。ハンドルロック装置の引掛け部４４の構造は、保持部より両側に突き出した引掛け部４４の、筐体開口部と係合する面は、水平ではなく、傾斜を持たせたレ字型形状とし、筐体の開口部の内側の形状もそれに対応して逆レ字型形状として係合する。このような傾斜を有した構造にすることにより、外れ難くなる。
【００１８】
このような構造により、ハンドルが自動的に動作し、ハンドルロック装置が脱落する方向に力が作用しても、ハンドルロック装置の脱落を防止することができる。
【００１９】
また、ここでは、保持部１２の先端に設けた引掛け部４４を１箇所にしているが、複数箇所設置することも可能である。
【００２０】
次にハンドルロック装置１の開閉器筐体のハンドル開口部に着脱する場合について説明する。
【００２１】
ハンドルロック装置１の保持部１２の両側を指でつまんで撓ませると、上記したようにこの部分は、逆Ｕ字状構造で、かつ、空間部２２を有しているため、破線で示すように保持部１２の先端が撓み、すぼませ、狭くなる。この状態で、保持部１２の先端の引掛け部４４が、開閉器筐体の開口部の幅より狭くなり、着脱が可能となる。
【００２２】
また、ハンドルロック装置１を開閉器筐体に装着した後、施錠する場合について説明する。
【００２３】
南京錠などを用いて施錠するとき、開錠した錠のシャックル３１をハンドルロック装置１に挿入する。挿入する箇所は、ハンドルロック装置のハンドルキャップ１１と保持部１２の間に設けた凹部切り欠き部４５を通し、保持部１２の内側にあるシャックル挿入部１３の挿入保持部分１４を通し、その後施錠する。これは逆にシャックル挿入保持部分１４を通し、凹部切り欠き部４５を通して施錠しても良い。
【００２４】
ここで、ハンドルロック装置１の錠のシャックル３１を挿入するシャックル挿入部１３の幅は、錠のシャックル３１の径とほぼ同じ寸法とする。このようにシャックル挿入部１３の幅と錠のシャックル３１の径とをほぼ同じにすることにより、施錠状態ではハンドルロック装置１の保持部１２を指でつまんでも撓ますことができず、ハンドルロック装置１を取り外すことができない。すなわち、ハンドルロック装置１の取り外しを禁止することができる。
【００２５】
図６に、本発明のハンドルロック装置１を開閉器４１がＯＮ状態のときに取り付け、施錠した場合の外観図を示す。
【００２６】
図６において、開閉器４１がＯＮ状態でハンドルが電源側にあるとき、ハンドルロック装置１の保持部１２をつまみ、ハンドルロック装置１のハンドルキャップ１１をハンドルに被せるように上から挿入し、保持部１２の引っ掛け部４４をハンドル開口部に装着し、取り付ける。そして電気管理者以外の人が開閉器４１のハンドル操作を禁止するため錠６１を用いて施錠し、鍵を電気管理者が保管する。
【００２７】
図７は、本発明のハンドルロック装置１を開閉器４１がＯＦＦ状態のとき取り付け、施錠した場合を示す。
【００２８】
開閉器４１がＯＦＦ状態では、ハンドルの位置がＯＮ状態と逆で、負荷側にある。したがって、ハンドルロック装置１を図６の場合とは上下逆に持ち、装着する。取り付け方法は、図６と同じである。
【００２９】
従って、本発明のハンドルロック装置１は、１個で、すなわち単一の部材で、開閉器４１のＯＮ状態またはＯＦＦ状態でもハンドルをロックすることができる。
【００３０】
また、上記したように、ハンドルロック装置１の空間部２２は、ＯＮ状態でも逆に取り付けたＯＦＦ状態でも、その状態をハンドルに表示した箇所を見られるようにしているため、安全性を向上させた構造となっている。
【産業上の利用可能性】
【００３１】
本発明によれば、簡単な構成で確実に開閉器のハンドルをロックすることができるハンドルロック装置を提供することができる。
【図面の簡単な説明】
【００３２】
【図１】本発明におけるハンドルロック装置の外観図を示す。
【図２】本発明におけるハンドルロック装置を上から見た上面図を示す。
【図３】本発明におけるハンドルロック装置を下から見た底面図を示す。
【図４】本発明におけるハンドルロック装置を着脱の際の部分正面断面図を示す。
【図５】本発明の図４の引掛け部のＡ部分拡大図を示す。
【図６】本発明におけるハンドルロック装置をON状態で取り付け、施錠した場合の外観図を示す。
【図７】本発明におけるハンドルロック装置をOFF状態で取り付け、施錠した場合の外観図を示す。
【符号の説明】
【００３３】
１‥ハンドルロック装置、 １１‥ハンドルキャップ部、 １２‥ 保持部、
１３‥シャックル挿入部、１４‥シャックル挿入保持部分、１５‥切り欠き溝、
２１‥保持部上面部、 ２２‥空間部、 ３１‥錠のシャックル、 ４１‥開閉器、
４２‥装着した状態、 ４３‥着脱するために撓ませた状態、 ４４‥引掛け部、
４５‥凹部切り欠き部、 ６１‥錠
【図１】
2012109273.tif 000003
【図２】
2012109273.tif 000004
【図３】
2012109273.tif 000005
【図４】
2012109273.tif 000006
【図５】
2012109273.tif 000007
【図６】
2012109273.tif 000008
【図７】
2012109273.tif 000009
【手続補正書】
【提出日】平成24年3月2日(2012.3.2)
【手続補正２】
【補正対象書類名】特許請求の範囲
【補正対象項目名】全文
【補正方法】変更
【補正の内容】
【特許請求の範囲】
【請求項１】
電路を開閉する接点部と前記接点部を開閉する開閉機構部を筐体内に収納し、前記筐体に設けた開口部から前記開閉機構部に連結されたハンドルを操作することにより前記接点部を開閉する構造の開閉器において、
前記ハンドルを所定の位置に固定するハンドルロック装置を有し、
前記ハンドルロック装置は、
弾性材料を用いて製造され、
逆Ｕ字形状の保持部を有し、
前記保持部から突出させ、前記開閉器筐体のハンドル開口部に係合する突起部を有し、
前記逆Ｕ字形状の保持部を撓ませて、前記開閉器筐体のハンドル開口部に前記突起部を係合させて、前記開閉器に装着し、
また、前記逆Ｕ字形状の保持部を撓ませることで、前記開閉器から取り外すことができ、
前記逆Ｕ字形状の保持部を撓ませて、前記ハンドルロック装置を着脱することができ、
前記開閉器の開口部は、前記突起部が係合する形状とされる
ことを特徴とする開閉器。